(57)【要約】【課題】通風路内へのゴミや塵埃の侵入を確実に防止することのできるショーケースを提供する。【解決手段】通風路３０内の底面側に配置されたフィルタ５０と、フィルタ５０から落下する塵埃等の異物を受容する塵埃受容部４２とを備えたので、空気吸込口４１ａから侵入した塵埃等をフィルタ５０によって捕捉することができ、しかもフィルタ５０から落下する塵埃等の異物を塵埃受容部４２により受容することができる。また、フィルタ５０は底面側通風路３０内に上下方向に延びるように配置されているので、フィルタ５０の上下方向の寸法を大きくすることができ、集塵面積を広くして集塵効果をより高めることができる。【選択図】  図６
2005034304.tif 000002
【特許請求の範囲】
【請求項１】
ショーケース本体の所定位置に設けた空気吸込口から空気を吸入し、ショーケース本体の所定位置に設けた空気吐出口からショーケース本体内に空気を吐出する通風路と、通風路内に配置された冷却器及び送風機とを備え、前記通風路内には空気中の塵埃を除去するフィルタを設けたショーケースにおいて、
前記通風路内にフィルタから落下する塵埃等の異物を受容する塵埃受容部を設けた
ことを特徴とするショーケース。
【請求項２】
前記フィルタを通風路内に上下方向に延びるように設け、
フィルタの下方に塵埃受容部を配置した
ことを特徴とする請求項１記載のショーケース。
【請求項３】
前記塵埃受容部とフィルタの取付枠とを一体に設け、
取付枠にフィルタを着脱自在に設けた
ことを特徴とする請求項１または２記載のショーケース。
【請求項４】
前記空気吸込口の下方に位置する通風路に前記塵埃受容部を着脱自在に設けた
ことを特徴とする請求項１、２または３記載のショーケース。
【請求項５】
前記塵埃受容部を、前記空気吸込口を有する吸込口カバーと一体に設けた
ことを特徴とする請求項１、２、３または４記載のショーケース。
【請求項６】
前記ショーケース本体の底面側に配置される通風路の上部を覆う底板を互いに分離可能な前端側部材及び後端側部材から構成し、
底板の前端側部材を塵埃受容部に一体に設けた
ことを特徴とする請求項１、２、３、４または５記載のショーケース。
【発明の詳細な説明】
【０００１】
【発明の属する技術分野】
本発明は、スーパーマーケットやコンビニエンスストア等の店舗に設置されるショーケースに関するものである。
【０００２】
【従来の技術】
従来、この種のショーケースとしては、前面を開口したショーケース本体と、ショーケース本体内に取付けられた上下複数段の商品棚と、ショーケース本体内の底面側、背面側及び上面側に沿って形成された通風路と、通風路内に配置された冷却器及び送風機とを備え、ショーケース本体の前面開口部の下端側に位置する空気吸込口から通風路内に吸入した空気を冷却器によって冷却し、ショーケース本体の前面開口部の上端側に位置する空気吐出口から吐出することにより、ショーケース本体の前面開口部にエアカーテンを形成するようにしたものが知られている。
【０００３】
また、前記ショーケースでは、空気吸込口から通風路内に侵入する空気中の塵埃や空気吸込口から通風路内に落下する異物による冷却器の冷却能力の低下やドレン排水の配管のつまりを防止するために、空気吸込口にフィルタを設けたものが知られている（例えば、特許文献１参照）。
【０００４】
【特許文献１】
特許第３１３９６６０号公報
【０００５】
【発明が解決しようとする課題】
しかしながら、従来のショーケースでは、例えばフィルタに付着した塵埃が通風路内に落下するなど、フィルタのみでは塵埃等の異物の侵入を確実に防止することができないという問題点があった。
【０００６】
本発明は前記問題点に鑑みてなされたものであり、その目的とするところは、通風路内への塵埃等の異物の侵入を確実に防止することのできるショーケースを提供することにある。
【０００７】
【課題を解決するための手段】
本発明は前記目的を達成するために、請求項１では、ショーケース本体の所定位置に設けた空気吸込口から空気を吸入し、ショーケース本体の所定位置に設けた空気吐出口からショーケース本体内に空気を吐出する通風路と、通風路内に配置された冷却器及び送風機とを備え、前記通風路内には空気中の塵埃を除去するフィルタを設けたショーケースにおいて、前記通風路内にフィルタから落下する塵埃等の異物を受容する塵埃受容部を設けている。これにより、塵埃受容部によってフィルタから落下する塵埃等の異物が受容される。
【０００８】
また、請求項２では、請求項１のショーケースにおいて、前記フィルタを通風路内に上下方向に延びるように設け、フィルタの下方に塵埃受容部を配置している。これにより、請求項１の作用に加え、フィルタの集塵面積を上下方向に大きくすることが可能となり、フィルタから落下する塵埃等の異物はフィルタの下方に配置した塵埃受容部によって受容される。
【０００９】
また、請求項３では、請求項１または２のショーケースにおいて、前記塵埃受容部とフィルタの取付枠とを一体に設け、取付枠にフィルタを着脱自在に設けている。これにより、請求項１または２の作用に加え、塵埃受容部とフィルタがショーケース本体に対して一体に着脱される。
【００１０】
また、請求項４では、請求項１、２または３のショーケースにおいて、前記空気吸込口の下方に位置する通風路に前記塵埃受容部を着脱自在に設けている。これにより、請求項１、２または３の作用に加え、塵埃受容部をショーケース本体から自在に取り外すことが可能となる。
【００１１】
また、請求項５では、請求項１、２、３または４のショーケースにおいて、前記塵埃受容部を、前記空気吸込口を有する吸込口カバーと一体に設けている。これにより、請求項１、２、３または４の作用に加え、塵埃受容部と吸込口カバーがショーケース本体に対して一体に着脱される。
【００１２】
また、請求項６では、請求項１、２、３、４または５のショーケースにおいて、前記ショーケース本体の底面側に配置される通風路の上部を覆う底板を互いに分離可能な前端側部材及び後端側部材から構成し、底板の前端側部材を塵埃受容部に一体に設けている。これにより、請求項１、２、３、４または５の作用に加え、底板の前端側部材が後端側部材と分離して塵埃受容部と一体に着脱される。
【００１３】
【発明の実施の形態】
図１乃至図６は本発明の一実施形態を示すもので、図１はショーケースの全体斜視図、図２はショーケースの側面断面図、図３は集塵ユニットの斜視図、図４は集塵ユニットの側面断面図、図５は集塵ユニットの構成図、図６はショーケース下部の側面断面図である。
【００１４】
このショーケースは、前面を開口したショーケース本体１０と、ショーケース本体１０内に取付けられた上下複数段の商品棚２０と、ショーケース本体１０内の上面側、背面側及び底面側に沿って形成された通風路３０と、通風路３０内に配置された集塵ユニット４０、フィルタ５０、冷却器６０及び送風機７０とから構成されている。
【００１５】
ショーケース本体１０は、上面側、背面側及び底面側をそれぞれ断熱壁１０ａ，１０ｂ，１０ｃによって囲まれ、左右両側面はそれぞれ略コ字状の断熱壁１１とガラス板１２によって覆われている。
【００１６】
各商品棚２０は、後端側をショーケース本体１０に支持され、前端側にはプライスカード等を保持するカード保持部２１が設けられている。
【００１７】
通風路３０は、上面側、背面側及び底面側断熱壁１０ａ，１０ｂ，１０ｃの各内側面と、各断熱壁１０ａ，１０ｂ，１０ｃと間隔をおいて設けられた上面板３１、背面板３２及び底板３３との間に形成されている。また、ショーケース本体１０の前面開口部上端に位置する通風路３０の端部には空気吐出口３４が幅方向に延びるように設けられ、空気吐出口３４にはハニカム状の通気構造を有する整流部材３４ａが取付けられている。
【００１８】
集塵ユニット４０は、吸込口カバー４１と、吸込口カバー４１の下部の通風路３０に沿って形成された塵埃受容部４２と、底板３３の前端側に位置する底板前部４３とから構成されている。
【００１９】
吸込口カバー４１は、ショーケース本体１０の前面開口部下端に位置する通風路３０の幅方向に延びるように形成され、吸込口カバー４１には多数の長孔からなる空気吸込口４１ａが設けられている。
【００２０】
塵埃受容部４２は、上面側及び背面側を開口したダクト状に形成され、その背面側開口部にはフィルタ５０を着脱自在に支持する取付枠４２ａが設けられている。
【００２１】
底板前部４３は、底板３３の後端側に位置する底板後部３３ａと吸込口カバー４１との間に位置する幅方向に延びる板状の部材からなり、底板後部３３ａに対して分離可能に設けられている。
【００２２】
前記集塵ユニット４０では、吸込口カバー４１の左右両端に設けられた板状の取付部４１ｂを塵埃受容部４２の上端に固定し、さらに、塵埃受容部４２の背面側開口部の上端側に底板前部４３の前端部を固定することにより、吸込口カバー４１、塵埃受容部４２及び底板前部４３が一体に設けられている。また、集塵ユニット４０は、吸込口カバー４１の左右両端側に取付けられた一対の把持リング４４により、上方に引き上げ可能に構成されている。
【００２３】
フィルタ５０は、フィルタ材５１が略四角形の枠５２に貼付けられた部材からなり、底面側通風路３０内を上下方向に延びるように形成されている。フィルタ５０は集塵ユニット４０に上方から挿入することにより、塵埃受容部４２の取付枠４２ａに取付けられるようになっている。
【００２４】
冷却器６０は、冷媒用の銅製の配管及びフィンからなり、背面側通風路３０内に配置されている。また、冷却器６０は、図示しない冷凍機に接続されている。
【００２５】
送風機７０は、底面側通風路３０内に配置され、ファンダクト７０ａに取付けられている。
【００２６】
以上のように構成されたショーケースにおいては、前面開口部下端の空気吸込口４１ａから送風機７０によって通風路３０内に吸入された空気が冷却器６０によって冷却され、前面開口部上端の空気吐出口３４から冷気が吐出される。これにより、ショーケース本体１０の前面開口部にエアカーテンが形成され、ショーケース本体１０内が冷却される。
【００２７】
ここで、空気吸込口４１ａから吸入された空気に含まれる塵埃やゴミ等の異物は、フィルタ５０によって捕捉され、通風路３０内への侵入を阻止される。その際、フィルタ５０は上下方向に延びるように形成されているので、フィルタ５０に付着した塵埃等の異物が下方に落下した場合は塵埃受容部４２に受容される。また、塵埃受容部４２の清掃作業は把持リング４４を把持して集塵ユニット４０を取り外すことにより行われ、フィルタ５０に付着した塵埃の除去は集塵ユニット４０からフィルタ５０を取り外すことによって行われる。
【００２８】
このように、本実施形態のショーケースによれば、通風路３０内の底面側に配置されたフィルタ５０と、フィルタ５０から落下する塵埃等の異物を受容する塵埃受容部４２とを備えたので、空気吸込口４１ａから侵入した塵埃等をフィルタ５０によって捕捉することができ、しかもフィルタ５０から落下する塵埃等の異物を塵埃受容部４２により受容することができる。
【００２９】
また、フィルタ５０は底面側通風路３０内に上下方向に延びるように設けられ、フィルタ５０の下方に塵埃受容部４２が配置されているので、フィルタ５０の上下方向の寸法を大きくし、フィルタ５０から落下する塵埃等の異物はフィルタ５０の下方に配置した塵埃受容部４２によって受容することができ、集塵面積を広くして集塵効果をより高めることができる。
【００３０】
また、塵埃受容部４２にフィルタ５０の取付枠４２ａを設け、取付枠４２ａにフィルタ５０を着脱自在に設けたので、塵埃受容部４２とフィルタ５０をショーケース本体に対して一体に着脱することができ、部品点数を少なくしてコストの低減及び生産性の向上を図ることができる。
【００３１】
また、空気吸込口４１ａの下部に位置する通風路３０に塵埃受容部４２を着脱自在に設けたので、塵埃受容部４２を自在に取り外すことができ、塵埃受容部４２の清掃作業を効率よく行うことができる。
【００３２】
また、塵埃受容部４２を吸込口カバー４１と一体に形成したので、塵埃受容部４２を吸込口カバー４１と一体に着脱することができ、作業性の向上を図ることができる。
【００３３】
また、底板３３を互いに分離可能な底板前部４３及び底板後部３３ａから構成し、塵埃受容部４２を底板前部４３と一体に形成したので、底板後部３３ａをショーケース本体１０に取付けたまま底板前部４３を塵埃受容部４２と一体に着脱することができ、底板後部３３ａに商品が載置されていても底面側通風路３０内の清掃、メンテナンス等を容易に行うことができる。
【００３４】
尚、前記実施形態では、前面を開口したショーケースを示したが、本発明は上面を開口したショーケースや前面に開閉扉を有するショーケース等、他の構成からなるショーケースにも適用することができる。
【００３５】
また、前記実施形態では塵埃受容部４２を集塵ユニット４０に一体に設けたものを示したが、塵埃受容部４２を他の構成と別体に設けるようにしてもよい。
【００３６】
【発明の効果】
以上説明したように、請求項１のショーケースによれば、フィルタは通風路内に配置され、フィルタから落下する塵埃等の異物を塵埃受容部により受容するので、塵埃等の異物の侵入を確実に防止することができる。
【００３７】
また、請求項２では、請求項１の効果に加え、フィルタを上下方向に大きくすることが可能となり、フィルタから落下する塵埃等の異物はフィルタの下方に配置した塵埃受容部によって受容されるので、集塵面積を広くして集塵効果を高めることができる。
【００３８】
また、請求項３では、請求項１または２の効果に加え、塵埃受容部とフィルタがショーケース本体に対して一体に着脱されるので、部品点数を少なくしてコストの低減及び生産性の向上を図ることができる。
【００３９】
また、請求項４では、請求項１、２または３の効果に加え、塵埃受容部を自在にショーケース本体から取り外すことが可能なので、塵埃受容部の清掃作業を効率よく行うことができる。
【００４０】
また、請求項５では、請求項１、２、３または４の効果に加え、塵埃受容部と吸込口カバーがショーケース本体に対して一体に着脱されるので、更に塵埃受容部の清掃等の作業効率の向上を図ることができる。
【００４１】
また、請求項６では、請求項１、２、３、４または５の効果に加え、底板の前端側部材を後端側部材と分離して塵埃受容部と一体に着脱することができるので、底板の後端側部材に商品が載置されていても底面側通風路内の清掃、メンテナンス等の作業効率の向上を図ることができる。
【図面の簡単な説明】
【図１】本発明の一実施形態を示すショーケースの全体斜視図
【図２】ショーケースの側面断面図
【図３】集塵ユニットの斜視図
【図４】集塵ユニットの側面断面図
【図５】集塵ユニットの構成図
【図６】ショーケース下部の側面断面図
【符号の説明】
１０…ショーケース本体、３０…通風路、３３…底板、３３ａ…底板後部、３４…空気吐出口、４１…吸込口カバー、４１ａ…空気吸込口、４２…塵埃受容部、４２ａ…取付枠、４３…底板前部、５０…フィルタ、６０…冷却器、７０…送風機。
【図１】
2005034304.tif 000003
【図２】
2005034304.tif 000004
【図３】
2005034304.tif 000005
【図４】
2005034304.tif 000006
【図５】
2005034304.tif 000007
【図６】
2005034304.tif 000008